(57)【要約】  調整可能な基礎部上のマットレスの屈曲を通してしっかりと支持状態を維持する縁部支持構造を提供しつつ、またマットレスの側面のための平坦な合わされた仕上がりを提供するマットレス１０。マットレスは基部と上面と２つの端壁間を延在する２つの側壁とを有し、これにより基部と上面と側壁と端壁とは上面を基部の上方に支持するスプリングユニットといったマットレス支持部を備えるキャビティを規定する。側壁および／または端壁は重畳する複数の縁セグメントを有する縁支持システムを備える。
2019526362.tif 000002
【特許請求の範囲】
【請求項１】
マットレスであって、
基部と上面と、
２つの端壁間を延在する２つの側壁とを備え、これにより前記基部と上面と側壁と端壁とは前記上面を前記基部の上方に支持するマットレス支持部を備えるキャビティを規定し、
１つまたは複数の前記側壁と端壁とは重畳する複数の縁セグメントを有する縁支持システムを備える、マットレス。
【請求項２】
前記端壁と前記側壁とは前記基部に接合される、請求項１に記載のマットレス。
【請求項３】
前記複数の縁セグメントは前記基部に接合される、請求項１に記載のマットレス。
【請求項４】
前記基部はポリエチレン板を備える、上述の請求項のいずれか１項に記載のマットレス。
【請求項５】
前記縁部は前記基部に熱溶着された低密度ポリエチレンフォームから作られる、上述の請求項のいずれか１項に記載のマットレス。
【請求項６】
前記縁セグメントの各々は側壁部分と前記側壁部分から湾曲する横部分とを備える、上述の請求項のいずれか１項に記載のマットレス。
【請求項７】
前記横部分は前記側壁部分に対して実質的に垂直である、請求項６に記載のマットレス。
【請求項８】
前記横部分は前記マットレスの前記キャビティ内へと延在する、請求項６または請求項７に記載のマットレス。
【請求項９】
前記横部分は前記縁セグメントの後縁部を形成し、前記縁セグメントの弾性的に可撓性の前縁部はテーパーを付けられる、請求項６〜請求項８のいずれか１項に記載のマットレス。
【請求項１０】
前記縁セグメントの各々は前記縁セグメントを前記マットレス支持部に係留させるように構成されるアンカ部を備える、上述の請求項のいずれか１項に記載のマットレス。
【請求項１１】
前記アンカ部は前記側壁部分に対して横方向に延在する、請求項１０に記載のマットレス。
【請求項１２】
前記アンカ部はステム部分と頭部分とを備える、請求項１０または請求項１１に記載のマットレス。
【請求項１３】
前記ステム部分は細長くされ、前記頭部分は前記ステム部分と比べて拡大される、請求項１２に記載のマットレス。
【請求項１４】
前記頭部分は少なくとも１つのとげ部を備える、請求項１３に記載のマットレス。
【請求項１５】
前記頭部分は２つの両側のとげ部を備える、請求項１４に記載のマットレス。
【請求項１６】
前記アンカ部の前記頭部分は弾性的に可撓性である、請求項１２〜請求項１５のいずれか１項に記載のマットレス。
【請求項１７】
前記縁セグメントの各々は一体的である、上述の請求項のいずれか１項に記載のマットレス。
【請求項１８】
前記縁セグメントの各々は低密度ポリエチレンフォーム押出材から形成される、請求項１７に記載のマットレス。
【請求項１９】
縁セグメントの前記前縁部が少なくとも隣接する縁セグメントの横部分の部分に重畳するように前記縁セグメントは前記基部に接合される、上述の請求項のいずれか１項に記載のマットレス。
【請求項２０】
前記縁セグメントは前記基部に隣接して互いに対して固定され、前記上面に隣接して互いに対して可動である、上述の請求項のいずれか１項に記載のマットレス。
【請求項２１】
隣接する縁セグメントはそれらの前縁部と後縁部との実質的に全長に沿って互いに対して可動である、上述の請求項のいずれか１項に記載のマットレス。
【請求項２２】
前記縁セグメントは角部材間に配置され、前記角部材はアンカ部を備え、１つの端壁と１つの側壁との部分に沿って延在する、上述の請求項のいずれか１項に記載のマットレス。
【請求項２３】
前記基部と上面とは実質的に長方形であり、前記側壁は互いに対して実質的に平行であり、前記端壁は互いに対して実質的に平行であり、前記側壁は前記端壁よりも長く、前記側壁と端壁とは前記基部と前記上面の周囲を延在する、上述の請求項のいずれか１項に記載のマットレス。
【請求項２４】
前記マットレス支持部は複数のスプリングを備えるスプリングユニットを備える、上述の請求項のいずれか１項に記載のマットレス。
【請求項２５】
前記スプリングは前記基部と前記上面との間で付勢されるらせん状のワイヤを備える、請求項２４に記載のマットレス。
【発明の詳細な説明】
【技術分野】
【０００１】
発明の技術分野
本発明はマットレスに関する。特に本発明は調整可能なベッドベース上などで使用するための連結式縁支持側壁を有する可撓性のマットレスに関するが、これに限定されない。
【背景技術】
【０００２】
発明の背景
本明細書における背景技術への言及はそのような技術が慣用の一般的な知識を構成すると自認するものと解されるべきではない。
【０００３】
マットレスは休息および睡眠のためにベッドベース上などで頻繁に使用される。異なる特性を提供するさまざまなマットレス構造が存在する。マットレス基部とマットレス上面との間に配置された複数のスプリングから形成されるスプリング入りマットレスが特に普及している。
【０００４】
そのようなマットレスはマットレスの剛性および耐久性を向上させる縁支持部を有し得る。縁支持部は、スプリングの縁ワイヤから、高密度ポリウレタンフォームによって構築された完全な周囲境界部までの多くの形態を取ることができる。そのような縁支持部は「広がり（ロールアウト）」を削減し、マットレスの側面および／または端部上で耐久性の高い座縁部を提供することを目的とする。縁支持部を提供する１つのまったく独特の方法は単一の一体化された基部と縁支持システムとを形成するためにポリエチレン基部に対して熱的に溶接されるポリエチレン側壁を備えることである。
【０００５】
ベッドベースのうちの１つまたは複数の部分、典型的には端部のうちの１つが昇降され得る調整可能なベッドベースが増々普及してきている。そのような調整可能なベースはこれまでに病院業界では既知であるが、それらはもはや国内ベッド市場でも利用可能になりつつある。
【０００６】
調整可能なベッドベースが形状変化するので、マットレスは実質的に平坦な平面的形状からベッドベースの輪郭と一般に一致するものへと屈曲される。縁支持部を有するマットレスの調整を試みる際の問題は、縁支持部が剛性にされるべく設計され屈曲されるのに適さないということである。この問題はすべての縁支持システムに対して当てはまるが、上述のポリエチレン側壁縁支持システムに対して特に大きな問題となることが認識された。
【発明の概要】
【発明が解決しようとする課題】
【０００７】
発明の目的
この発明の目的は上述の１つまたは複数の不利益もしくは問題を克服または改善し、または少なくとも有用な商業的代替物を提供する可撓性のマットレスを提供することである。
【０００８】
本発明のその他の望ましい目的は以下の説明から明らかになるだろう。
【課題を解決するための手段】
【０００９】
発明の概要
１つの形態では、それが唯一のまたは実際に最も広い形態であることを要さないが、
基部と上面と、
２つの端壁間を延在する２つの側壁とを備えるマットレスが提供され、これにより基部と上面と側壁と端壁とは上面を基部の上方に支持するマットレス支持部を備えるキャビティを規定し、
１つまたは複数の側壁と端壁とは重畳する複数の縁セグメントを有する縁支持システムを備える。
【００１０】
好ましくは端壁は基部に接合される。好ましくは側壁は基部に接合される。好ましくは複数の縁セグメントは基部に接合される。好ましくは基部はポリエチレン板を備える。好ましくは端壁と側壁とのうちの少なくとも１つはポリエチレンから作られる。好ましくは縁部は低密度ポリエチレンフォームから作られる。好ましくは縁部は基部に熱溶着される。
【００１１】
好ましくは縁セグメントの各々は側壁部分と横部分とを備える。好ましくは横部分は側壁部分から湾曲する。好ましくは横部分は側壁部分に対して実質的に垂直である。好ましくは横部分はマットレスのキャビティ内へと延在する。好ましくは横部分は縁セグメントの後縁部を形成し、好ましくは縁セグメントの前縁部はテーパーを付けられる。好ましくは縁セグメントの前縁部は弾性的に可撓性である。
【００１２】
好ましくは縁セグメントの各々はアンカ部を備える。好ましくはアンカ部は縁セグメントをマットレス支持部に係留させるように構成される。好ましくはアンカ部は側壁部分に対して横方向に延在する。好ましくはアンカ部は横部分に対して実質的に平行に延在する。
【００１３】
好ましくはアンカ部はステム部分と頭部分とを備える。好ましくはステム部分は細長くされる。好ましくは頭部分はステム部分と比べて拡大される。好ましくは頭部分は少なくとも１つのとげ部を備える。好ましくは頭部分は２つのとげ部を備える。好ましくは頭部分は２つの両側のとげ部を備える。好ましくはアンカ部は実質的に矢印形状にされる。好ましくはアンカ部の頭部分は弾性的に可撓性である。
【００１４】
好ましくは縁セグメントの各々は一体的である。好ましくは縁セグメントの各々は低密度ポリエチレンフォーム押出材から形成される。好ましくは横部分は側壁の頂部と底部とのうちの少なくとも１つから凹められる。好ましくはアンカ部は側壁の頂部と底部とのうちの少なくとも１つから凹められる。好ましくは横部分とアンカ部との両方は側壁の頂部と底部との両方から凹められる。
【００１５】
好ましくは縁セグメントの前縁部が隣接する縁セグメントの横部分の少なくとも部分に重畳するように縁セグメントは基部に接合されている。好ましくは縁セグメントは基部に隣接して互いに対して固定され、上面に隣接して互いに対して可動である。好ましくは隣接する縁セグメントはそれらの前縁部と後縁部との実質的に全長に沿って互いに対して可動である。
【００１６】
好ましくは縁セグメントは角部材間に配置される。好ましくは角部材はアンカ部を備える。好ましくはアンカ部は縁セグメントのためのアンカ部と同一であり、またはそれと少なくとも実質的に同一である。好ましくは角部材は１つの端壁と１つの側壁との部分に沿って延在する。
【００１７】
好ましくは基部と上面とは実質的に長方形である。好ましくは側壁は互いに対して実質的に平行である。好ましくは端壁は互いに対して実質的に平行である。好ましくは側壁は端壁よりも長い。好ましくは側壁と端壁とは基部と上面との周囲を延在する。好ましくはマットレス支持部はスプリングユニットを備える。好ましくはスプリングユニットは複数のスプリングを備える。好ましくはスプリングは基部と上面との間で付勢されるらせん状のワイヤを備える。好ましくは基部と側壁と端壁とはスプリングユニットを含む一体のケーシングを形成する。好ましくはスプリングユニットは一体のケーシングによってその５つの側面に収容される。
【００１８】
本発明のさらなる構造および利点は以下の詳細な説明から明らかになるだろう。
図面の簡単な説明
単なる例として、本発明の好ましい実施形態は添付の図面を参照して以下においてより十分に説明される。
【図面の簡単な説明】
【００１９】
【図１】側壁と端壁の両方に沿う連結式縁セグメントを含むマットレスの基部と側壁と端壁の斜視図を示す。
【図２】図１の側壁と端壁の上面図を示す。
【図３】図１の単一の縁セグメントの斜視図を示す。
【図４】図３の縁セグメントの上面図を示す。
【図５】スプリングユニットの部分へと挿入される縁セグメントの上面図を示す。
【図６】スプリングユニットへの挿入後の図５の縁セグメントを図示する。
【図７】スプリングユニットからの離脱に抗する図６の縁セグメントを図示する。
【図８】平坦な構成における３つの重畳する縁セグメントの側面図を示す。
【図９】図８の３つの縁セグメントの上面図を示す。
【図１０】湾曲された構成における３つの重畳する縁セグメントの側面図を示す。
【図１１】図１０の３つの縁セグメントの上面図を示す。
【発明を実施するための形態】
【００２０】
図面の詳細な説明
図１および図２は、その内部にキャビティ４００を規定する基部１００と２つの実質的に平行な側壁２００と２つの実質的に平行な端壁３００とを有するマットレス１０の部分を示す。側壁２００と端壁３００とは、基部１００に接合され、好ましくはそこに熱溶着され、好ましくは基部と（明確性のために図示しない）上面との間で付勢されるスプリングユニットの形態の複数のらせん状のコイルスプリングを備える適切な形状にされるマットレス支持部（図示しない）のための実質的に長方形にされる一体のケーシングを形成する。
【００２１】
図示される実施形態では、側壁２００と端壁３００の両方は複数の重畳する縁セグメント５１０を有する縁支持システム５００を備える。重畳する縁セグメント５１０は角部材５５０間に配置され、角部材５５０の各々は１つの側壁２００と１つの端壁３００とに部分的に沿って延在する。
【００２２】
重畳する縁セグメント５１０は側壁２００と端壁３００とのうちの１つにおいてのみ提供されてもよいということが理解される。さらにマットレス１０の大きさおよび形状は側壁２００と端壁３００とにおける縁セグメント５１０の数を調整することによって変更され得ることが理解される。これに関して、図１および図２において示されるマットレス１０の端壁３００内の縁セグメント５１０はシングルサイズのベッドに対して完全に除去され、これにより隣接する角部材５５０は端壁３００に沿って出会いそれを規定する。
【００２３】
図３および図４は縁セグメント５１０をさらに詳細に示す。各縁セグメント５１０は側壁部分５１２と、側壁部分５１２から図１および図２に示されるようにマットレス１０のキャビティ４００へと内向に湾曲する横部分５１４とを備える。横部分５１４は側壁部分５１２に対して実質的に垂直であり、縁セグメント５１０の後縁部を形成する。横部分５１４に対して縁セグメント５１０の反対の側にあるのはテーパーを付けられた前縁部５１６である。
【００２４】
縁セグメント５１０はまた側壁部分５１２の内側から実質的に垂直に延在するアンカ部５１８を有する。アンカ部５１８は細長いステム部分５２０とステム部分５２０に比べて拡大される頭部分５２２とを有する。頭部分はアンカ部５１８が実質的に矢印形状にされるように構成される２つの両側のとげ部５２４を有する。
【００２５】
縁セグメント５１０は一体的であり、好ましくは押出された低密度ポリエチレンフォームの単一片から形成される。横部分５１４とアンカ部５１８の両方は側壁部分５１２の頂部と底部とから凹められる。縁セグメント５１０は弾性的に可撓性であり、前縁部５１６のより薄いテーパーを付けられた部分は可撓性が増加された領域である。
【００２６】
図５〜図７はスプリングユニット６００の部分に挿入されそこから引き出される縁セグメント５１０を示す。図５から開始して、縁セグメント５１０のアンカ部５１８は２つの隣接するスプリングコイル６１０間に挿入される。とげ部５２４はそれらがスプリングコイル６１０間で力を加えられるときに後方に畳まれ圧縮し、拡大された耳部分５２２がその間に嵌ることを可能とする。
【００２７】
しかし、図６に示されるように、ステム部分５２０がスプリングコイル６１０間に一旦配置されると、とげ部５２４がスプリングコイル６１０を超えて延在しそれを保持するように、弾性的に可撓性である頭部分５２２はその当初の形状に戻る。
【００２８】
図７に示されるように、アンカ部５１８は縁セグメント５１０のスプリングユニット６００からの離脱および分離を阻止する。アンカ部５１８の頭部分５２２と特にとげ部５２４とはスプリングコイル６１０と係合しこれを捕捉し、アンカ部５１８ひいては縁セグメント５１０がスプリングユニット６００から離脱することを阻止するか少なくとも実質的に抑制する。
【００２９】
図８および図９は、マットレス１０が平坦な実質的に平面的な構成にあるときの３つの縁セグメント５１０を示す。縁セグメントは（図８に見られるように）１つのセグメントの前縁部５１６と直線的に整列され、（図９に見られるように）隣接するセグメントの横部分５１４と重畳する。
【００３０】
図１０および図１１は、調整可能なベッドベースが傾けられる等によりマットレス１０が屈曲されるときに起こることを示し、縁セグメント５１０は屈曲に従うように連結する。縁セグメント５１０は基部１００に固定され、従って縁セグメント５１０は基部に隣接して互いに対して接合される。しかし縁セグメント５１０はそれらの前縁部５１６または横部分５１４に沿って接合されず、従って縁セグメント５１０はそれらの前縁部と後縁部の実質的に全長に沿って互いに対して可動である。このことは図１０に示されるように隣接する縁セグメント５１０間の重畳５１０’の量を増加させることを可能とする。図１１はそのような屈曲中に比較的平坦な側壁を保持しながら縁セグメント５１０が変形し重畳する方法を示す。
【００３１】
使用において、縁支持システム５００は（たとえば図８および図９に示されるような）平坦な構成と（たとえば図１０および図１１に示されるような）屈曲される構成との両方において良好に支持された平坦な側壁３００を有するマットレス１０を提供する。このことは（たとえば図８と図１０とを比較して）マットレス１０が屈曲される際に重畳５１０’ の量を変化させることができる重畳する縁セグメント５１０を有することによって達成される。基部１００は典型的に調整可能なベッドベースの移動に応答して所望のように屈曲され得、縁セグメント５１０は膨らみまたは広がることなく屈曲に順応するように重畳５１０’を変化させることができる。
【００３２】
有利には、本発明のマットレス１０は調整可能な基礎部上のマットレスの屈曲を通してしっかりと支持状態を維持する縁支持構造を提供しつつ、マットレスの側面のための平坦な合わされた仕上がりを提供する。アンカ部５１８は側壁２００と端壁３００とが、すべての時間において、屈曲中等々にあってもスプリングユニット６００に確実に保持されることを可能とする。
【００３３】
この明細書では、第１および第２、左および右、頂および底といった形容詞は必ずしも何ら実際のそのような関係または順序を要するか黙示することなく１つの要素または動作を別の要素または動作と区別するためにのみ使用される。文脈が許す場合、整数または構成要素またはステップ（など）への言及は、その整数、構成要素、またはステップのうちの１つのみに限定されると解釈されるべきではなく、むしろ１つまたは複数のその整数、構成要素、またはステップなどであり得る。
【００３４】
本発明の様々な実施形態の上記の説明は説明の目的のために当業者に提供される。それは網羅的であることまたは本発明を１つの開示された実施形態に限定することを意図されていない。上述のように本発明に対する多数の代替および変形は上記の教示の当業者には明らかであろう。したがっていくつかの代替的な実施形態が具体的に説明されてきたが、他の実施形態は当業者によって明らかにされるか比較的容易に発展され得る。本発明は本明細書で論じられた本発明の全ての代替物、修正物、および変形物、ならびに上記の本発明の精神および範囲内にある他の実施形態を包含することを意図している。
【００３５】
本明細書において「備える」、「備えている」、「含む」、「含んでいる」という用語または同様の用語は非限定的包含を意図するものであり、要素の列挙を備える方法、システムまたは装置は単にそれらの要素のみを含むのではなく列挙されていない他の要素を含み得る。
【図１】
2019526362.tif 000003
【図２】
2019526362.tif 000004
【図３】
2019526362.tif 000005
【図４】
2019526362.tif 000006
【図５】
2019526362.tif 000007
【図６】
2019526362.tif 000008
【図７】
2019526362.tif 000009
【図８】
2019526362.tif 000010
【図９】
2019526362.tif 000011
【図１０】
2019526362.tif 000012
【図１１】
2019526362.tif 000013
【国際調査報告】
2019526362.tif 000014
2019526362.tif 000015
2019526362.tif 000016
2019526362.tif 000017